(57)【要約】【課題】従来のプリント装置は顧客からの注文またはラボの状態をみてラボを変更することは考えられたが、顧客が同じでラボの機械が異なる場合に自動的にプリントを集結することは考えられていなかった。【解決手段】顧客注文端末によるプリント画像の各画像の注文内容を表す注文情報をネットワークを介して受け取り、前記注文情報に基づいて、前記プリント画像の出力を行う複数のラボサーバーの一つを前記プリント画像の出力先として選択し、前記ラボサーバーから出力されたプリント画像を前記顧客注文端末に基づいて集結する顧客プリント画像集結部とを備えたプリントシステムを提供する。【選択図】図１
2009140099.tif 000002
【特許請求の範囲】
【請求項１】
顧客注文端末によるプリント画像の各画像の注文内容を表す注文情報をネットワークを介して受け取る注文受取端末と、前記注文情報に基づいて、前記プリント画像の出力を行うと共に前記顧客注文端末を識別する顧客注文端末識別情報を記録する少なくとも一つのラボサーバーと、前記注文受取端末と前記ラボサーバーの間に介在し、前記注文情報に基づいて前記ラボサーバーの１つを前記プリント画像の出力先として選択し、該選択されたラボサーバーに前記注文情報を転送する注文振り分け部と、前記ラボサーバーから出力されたプリント画像を前記顧客注文端末識別情報に基づいて集結する顧客プリント画像集結部とを備えたことをプリントシステム。
【請求項２】
顧客注文端末によるプリント画像の各画像の注文内容を表す注文情報をネットワークを介して受け取る注文受取端末と、前記顧客注文端末を識別する顧客注文端末識別情報を記録する顧客注文端末識別情報記録部と、前記注文情報に基づいて、前記プリント画像の出力を行う少なくとも一つのラボサーバーと、前記顧客注文端末を示す識別信号を記録する顧客注文端末識別情報記録部と、前記注文受取端末と前記ラボサーバーの間に介在し、前記注文情報に基づいて前記ラボサーバーの１つを前記プリント画像の出力先として選択し、該選択されたラボサーバーに前記注文情報を転送する注文振り分け部と、前記ラボサーバーから出力されたプリント画像を前記顧客注文端末識別情報に基づいて集結する顧客プリント画像集結部とを備えたプリントシステム。
【請求項３】
前記注文情報はプリントサイズ、プリント品質、プリント画像処理等のプリントに関する要素を示す情報である請求項１、２に記載のプリントシステム。
【発明の詳細な説明】
【技術分野】
【０００１】
本発明は、顧客からの注文をネットワークを利用し、ラボで画像データのプリントを行うプリントシステムに関するものである。
【背景技術】
【０００２】
ユーザーが撮影した写真画像を、自宅のパソコンからネットワークを利用してラボでプリントを依頼することは知られている。特許文献１で示すように、画像データのプリントを行うラボを、複数のラボの中から選択することは知られていた。例えば、ラボの混雑状況をみて混んでいるラボでなくてすいているラボを選択するとか、注文する顧客の住所から最寄りのラボを選択することは知られている。
【０００３】
また、特許文献１にはサービス内容（焼き増し、ポストカード作成等）を指定する処理番号、写真をしている画像番号、プリントサイズ、プリント枚数、プリント面質（艶あり、艶なし）、紙厚、写真の処理内容、トリミングに指定情報等、ユーザーの名前、住所、電話番号等ユーザーに関する情報に基づいてラボを選択することを示している。
【０００４】
【特許文献１】特開２００１−２９０６２７号公報
【発明の開示】
【発明が解決しようとする課題】
【０００５】
しかしながら、特許文献１では、写真をプリントするラボを選択する場合の理由については述べてあったが、顧客の注文するプリントが複数のラボでプリントし、複数のラボでプリントした写真をどのように集結するかについては考えていなかった。
【課題を解決するための手段】
【０００６】
上記目的を達成するために、請求項１は顧客注文端末によるプリント画像の各画像の注文内容を表す注文情報をネットワークを介して受け取る注文受取端末と、前記注文情報に基づいて、前記プリント画像の出力を行うと共に前記顧客注文端末を識別する顧客注文端末識別情報（以下顧客注文端末ＩＤ）を記録する少なくとも一つのラボサーバーと、前記注文受取端末と前記ラボサーバーの間に介在し、前記注文情報に基づいて前記ラボサーバーの１つを前記プリント画像の出力先として選択し、該選択されたラボサーバーに前記注文情報を転送する注文振り分け部と、前記ラボサーバーから出力されたプリント画像を前記顧客注文端末ＩＤに基づいて集結する顧客プリント画像集結部とを備えたことをプリントシステムを提供するものである。
【０００７】
請求項２は、顧客注文端末によるプリント画像の各画像の注文内容を表す注文情報をネットワークを介して受け取る注文受取端末と、前記顧客注文端末を識別する顧客注文端末ＩＤを記録する顧客注文端末ＩＤ記録部と、前記注文情報に基づいて、前記プリント画像の出力を行う少なくとも一つのラボサーバーと、前記顧客注文端末を示す識別信号を記録する顧客注文端末ＩＤ記録部と、前記注文受取端末と前記ラボサーバーの間に介在し、前記注文情報に基づいて前記ラボサーバーの１つを前記プリント画像の出力先として選択し、該選択されたラボサーバーに前記注文情報を転送する注文振り分け部と、前記ラボサーバーから出力されたプリント画像を前記顧客注文端末ＩＤに基づいて集結する顧客プリント画像集結部とを備えたプリントシステムを提供するものである。
【０００８】
請求項３は、前記注文情報はプリントサイズ、プリント品質、プリント画像処理等のプリントに関する要素を示す情報である請求項１、２に記載のプリントシステムを提供するものである。
【発明の効果】
【０００９】
上述したように本発明のプリントシステムは、種々のプリントを行う場合でも、注文情報に適したラボを選択できる。例えばプリント紙を種々の大きさに変更してプリントを望む場合に、ラボを変えて行なえば、プリント紙を切り換えて使うこともせずに、プリントをスピードアップできる。一人の顧客が、顧客の注文情報によって複数のラボサーバーでプリントをしても、顧客を識別する情報を読み取ってプリントを集結することができるので間違って他の顧客のプリントを入手したり、自分のプリントが他の顧客のところにプリントが届けられるようなことはない。
【発明を実施するための最良の形態】
【００１０】
以下、本発明の実施の形態を図１〜図８に基づいて説明する。
【００１１】
図１は本発明のプリントシステムの第１の実施例を示すブロック図を示す。
１Ａ、１Ｂで示す顧客注文端末より画像を２で示すインターネットを介して３で示すラボ装置の４で示す注文受取端末に表１で示すように画像情報に注文情報を添えて送信する。５はラボ装置の動作を制御する制御部を示し、注文受取端末３は６で示す注文振り分け部に画像情報と注文情報を送信し、注文振り分け部６は７で示すラボサーバー部にある複数のラボサーバー７Ａ、７Ｂ、７Ｃの一つを前記注文情報に基づいて選択するように制御部５より制御し、前記画像情報を振り分ける。振り分けられた画像情報はそれぞれラボサーバーの中のラボでプリントを行い、さらに画像情報がプリントされた裏面で顧客を識別する後述の顧客注文端末ＩＤをプリントする。８で示す顧客注文端末ＩＤ検出部で、例えばプリント画面の裏面に付されたバーコード等の顧客のＩＤを検出するよう制御部５より制御し、顧客毎に９で示すプリント画像集結部でプリント画像を集結するよう制御部５より制御する。
表１        
2009140099.tif 000003
【００１２】
表１でＬサイズ、光沢プリントはラボサーバー１に、２Ｌサイズ、光沢プリントはラボサーバー２で、絹目プリントはラボサーバー３でプリントを行う。ここで光沢プリントは要求が多いのでＬサイズと２Ｌサイズではラボサーバーを変更してプリントを行う。
【００１３】
図２は第１の実施例のラボサーバー７の詳細図を示す。ラボサーバー部７には図面ではラボサーバー７Ａ、７Ｂ、７Ｃの３個のラボサーバーを記載しているが、数は限定しない。ラボサーバー７Ａ１、７Ｂ１、７Ｃ１はそれぞれ顧客注文端末ＩＤプリント部、７Ｂ１、７Ｂ２、７Ｃ２は画像プリント部に顧客注文端末ＩＤ、画像のプリントを行わせる。
【００１４】
図３は第１の実施例の制御部５の内容を示すフローチャートである。
Ｓ１でインターネットを介して顧客の識別番号を示す顧客注文端末ＩＤと画像情報と注文情報を受け取り、Ｓ２で注文情報を識別し、Ｓ３でラボサーバーを決定する。Ｓ４でラボサーバーでプリントの画像を出力する面の裏面に例えばバーコードで示す顧客注文端末ＩＤをプリントし、Ｓ５で前記画像情報を出力し、Ｓ６でプリントの裏面に記録された顧客注文端末ＩＤを例えばバーコードリーダーのような顧客注文端末ＩＤ検出器で読み取り、Ｓ７で顧客注文端末ＩＤ毎にプリントを集結する。
【００１５】
図４は１０でプリントの画像プリント面、図５は１１でその裏面で１２は顧客注文端末ＩＤを示す。
【００１６】
図６は本発明の第２の実施例のブロック図を示す。
第１の実施例では図１に示すように顧客の識別番号を示す顧客注文端末ＩＤのプリントをラボサーバー部７で行っていたが、第２の実施例では注文受取端末１で顧客注文端末ＩＤを受け取るとすぐに１３で示す顧客注文端末ＩＤプリント部、例えばインクジェット、レーザープリント等のプリンターで画像のプリント面に対して裏面に顧客注文端末ＩＤを記録することを示すブロック図である。顧客注文端末ＩＤを裏面にプリントしたプリント紙を注文振り分け部６に送ってのち、注文情報に基づいて振り分けてラボサーバー部７に送って画像情報をプリントし、顧客注文端末ＩＤ検出部８で顧客注文端末ＩＤを基にプリントされた画像を集結する。
【００１７】
図７は第２の実施例のラボサーバー７の詳細図を示す。ラボサーバー部７には図面ではラボサーバー７Ａ、７Ｂ、７Ｃの３個のラボサーバーを記載しているが、数は限定しない。ラボサーバー７Ａ１、７Ｂ１、７Ｃ１はそれぞれ７Ｂ１、７Ｂ２、７Ｃ２で示す画像プリント部で画像のプリントを行う。
【図面の簡単な説明】
【００１８】
【図１】本発明の実施形態を示す第１の実施例のブロック図
【図２】第１の実施例のラボサーバー部の詳細図
【図３】本発明の実施形態を示す第１の実施例を示すフローチャート
【図４】プリントのプリント面
【図５】プリントの裏面
【図６】本発明の実施形態を示す第２の実施例のブロック図
【図７】第２の実施例のラボサーバー部の詳細図
【図８】本発明の実施形態を示す第２の実施例を示すフローチャート
【符号の説明】
【００１９】
１        顧客注文端末
２        インターネット
３        ラボ装置
４        注文受取端末
５        制御部
６        注文振り分け部
７        ラボサーバー部
８        顧客注文端末ＩＤ検出部
９        プリント画像集結部
１０      画像プリント面
１１      プリント裏面
１２      顧客注文端末ＩＤ
１３      顧客注文端末ＩＤプリント部
【図１】
2009140099.tif 000004
【図２】
2009140099.tif 000005
【図３】
2009140099.tif 000006
【図４】
2009140099.tif 000007
【図５】
2009140099.tif 000008
【図６】
2009140099.tif 000009
【図７】
2009140099.tif 000010
【図８】
2009140099.tif 000011